(57)【要約】【課題】テストを受験するとき、本人確認と受験料の支払が面倒であった。【解決手段】受験者５は顔写真入りのクレジットカード１１で本人確認を行い、クレジットカード読みとり装置１２にクレジットカードを通し、クレジットカード認証システム１３に暗証番号を入力し、クレジットカード会社２の個人データベース２１を参照し、クレジットカードを所有する本人であることを認証し、カードより、受験者の個人情報を読み、受験システム１４を起動し、テストセンター１はテスト管理センター３にアクセスし、個人データベース３２に照合をかけ、個人データに受験許可フラグを情報設定し、テストデータベース３１からテストデータが転送され、クレジットカード認証システムではクレジットカード会社２に受験料の請求データを送信し、課金データベース２２に受験料の請求データを登録し、銀行４に対し受験料を請求し、受験料の自動引き落としを行う。【選択図】　　　図１
2004086758.tif 000002
【特許請求の範囲】
【請求項１】
テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りのクレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターシステム。
【請求項２】
テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りのＩＣカード付クレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターシステム。
【請求項３】
テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りおよび指紋写真入りのクレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターシステム。
【請求項４】
テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りおよび指紋写真入りのＩＣカード付クレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターシステム。
【請求項５】
テストの会場となるテストセンターは、受付で受験者の確認をクレジットカードに写された顔写真と受験者本人の素顔とを照合することで本人確認を行う手段と、ＩＣカードに記憶された指紋情報を指紋認証システムで認証する手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りのＩＣカード付クレジットカードを所有し、ＩＣカードに指紋情報を記憶し、テストを受験する場合、テストセンター赴き、受付でクレジットカードに写された顔写真とＩＣカードに記憶された指紋情報を指紋認証システムで認証することにより本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターシステム。
【請求項６】
テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りのクレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターの処理方法。
【請求項７】
テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りのＩＣカード付クレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターの処理方法。
【請求項８】
テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りおよび指紋写真入りのクレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターの処理方法。
【請求項９】
テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りおよび指紋写真入りのＩＣカード付クレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターの処理方法。
【請求項１０】
テストの会場となるテストセンターは、受付で受験者の確認をクレジットカードに写された顔写真と受験者本人の素顔とを照合することで本人確認を行う手段と、ＩＣカードに記憶された指紋情報を指紋認証システムで認証する手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りのＩＣカード付クレジットカードを所有し、ＩＣカードに指紋情報を記憶し、テストを受験する場合、テストセンター赴き、受付でクレジットカードに写された顔写真とＩＣカードに記憶された指紋情報を指紋認証システムで認証することにより本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行うことを特徴とするクレジットカードを利用したテストセンターの処理方法。
【請求項１１】
テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りのクレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させるためのプログラム。
【請求項１２】
テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りのＩＣカード付クレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させるためのプログラム。
【請求項１３】
テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りおよび指紋写真入りのクレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させるためのプログラム。
ことを特徴とすたテストセンターの処理方法。
【請求項１４】
テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りおよび指紋写真入りのＩＣカード付クレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させるためのプログラム。
【請求項１５】
テストの会場となるテストセンターは、受付で受験者の確認をクレジットカードに写された顔写真と受験者本人の素顔とを照合することで本人確認を行う手段と、ＩＣカードに記憶された指紋情報を指紋認証システムで認証する手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りのＩＣカード付クレジットカードを所有し、ＩＣカードに指紋情報を記憶し、テストを受験する場合、テストセンター赴き、受付でクレジットカードに写された顔写真とＩＣカードに記憶された指紋情報を指紋認証システムで認証することにより本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させるためのプログラム。
【発明の詳細な説明】
【０００１】
【発明の属する技術分野】
本発明はクレジットカードを利用したテストセンターシステムとクレジットカードを利用したテストセンターの処理方法に関し、特にテストの受験者は、顔写真入りのクレジットカードを所有し、テストを受験する場合、クレジットカードの顔写真、暗証番号で本人であることを確認し、受験料をクレジットカード会社から直接銀行口座より引き落とす、認証機能と支払い機能、受験システムを統合したテストセンターシステムを利用するクレジットカードを利用したテストセンターシステムとクレジットカードを利用したテストセンターの処理方法に関する。
【０００２】
【従来の技術】
従来の技術として、特開２００２−９２５３３号公報がある。
【０００３】
これはインターネット上における、情報や商品等の売買や振込や支払い等の決済システムとそのビジネスモデルに関するものであり、インターネット上において電子マネーによる商品の売買を行うについて、インターネットカードに電子マネーの入出金機能を持たせることにするとともに、各種請求書にもインターネットカードの機能を持たせることによって情報端末機にオールネットカードや各種請求書を入れるだけで、銀行や支払先のホームページが間違いなく正確に表示装置に表示されるようにし、請求金額等も表示装置に表示されるようにする。
【０００４】
更には、携帯情報端末装置にも電子マネーの入出金機能を装備することによっていつでもどこからでも各種決済を行うことができるようになる。
【０００５】
即ち、一枚のオールネットカードに、銀行のインターネットバンキングのホームページのＵＲＬ等と、その他の買い物をするホームページや振込や支払いをするホームページ、例えばＮＴＴやＮＨＫや電力会社等のホームページのＵＲＬ等を書き込んでおく。
【０００６】
そのうえ、オールネットカードには身分証明のために、このカードの所有者の住所、氏名、生年月日、指紋、ＤＮＡ，音声、顔写真等の個人を特定する情報や当然のことながら銀行の口座番号等各種情報も書き込む。
【０００７】
これで、オールネットカードを情報端末装置に差し込むだけで、自動的にインターネット上の特定ホームページにアクセスすることができて、ホームページ上における商品、例えばニュースの配信、小説、エッセイ、漫画、音楽、映画等から株や債券、国債から各種保険の購入やその他各種商品や情報の購入から公共料金や税金の支払いから振込まで全ての決済を、いつでも、どこにいても、即時できるようになる。
【０００８】
以上のように、オールネットカードに身分証明のために、このカードの所有者の住所、氏名、生年月日、指紋、顔写真等の個人を特定する情報や当然のことながら銀行の口座番号等各種情報も書き込む。
【０００９】
このように、一枚のオールネットカードに、電子マネーを出し入れする機能や、銀行やその他のポータルサイトやホームページに直結するための条件をコンピューターが読み取り可能な手段で磁気やメモリーカードやメモリーチップに書き込み、指紋や顔写真等によって個人を特定することによって、コンピューターや携帯電話やＰＨＳやインターネットのできるテレビ等の情報端末装置や携帯情報端末装置に、オールネットカードやインターネットカードの読み取り装置と電子カメラの機能を付加することによって、指紋や顔写真等を撮影し、その撮影した指紋や顔写真の情報をインターネット等を介して送受信することのできる情報端末装置や携帯情報端末装置を使用して個人の認証を行ってインターネットバンキングで電子マネーをオールネットカードに入出金したり、オールネットカードどうしで電子マネーによる支払いや受け取りを行う。こうすることによって、自宅にいながらにして各種経済行為等の決済等が行えるようになる。
【００１０】
また、従来の技術として、特開２０００−６７２９０号公報がある。
【００１１】
これは、例えば銀行や役所等で本人であるか否かを識別する場合などに用いる本人識別方法および装置に係り、管理が容易で、しかも簡単かつ迅速に本人であるか否かを識別することのできる本人識別方法および装置である。
【００１２】
本人の指紋データを予めカードに記録しておき、そのカードを持参した人の指紋を指紋読取手段により読み取ると共に、その指紋読み取り手段で読み取った指紋データと、上記カードに記録した指紋データとを照合して本人であるか否かを判別することを特徴とする。
【００１３】
装置構成としては、例えば予めカードに記録した本人の指紋データを読み取るカードデータ読取手段と、そのカードを持参した人の指紋を読み取る指紋データ読取手段と、その指紋データ読取手段で読み取った指紋データと、上記カードデータ読取手段で読み取った指紋データとを照合して一致するか否かを判別する指紋照合手段とを備える。
【００１４】
本人識別方法および装置は、以下の構成としたものである。
【００１５】
即ち、本人識別方法は、本人の指紋データを予めカードに記録しておき、そのカードを持参した人の指紋を指紋読取手段により読み取ると共に、その指紋読取手段で読み取った指紋データと、上記カードに記録した指紋データとを照合して本人であるか否かを判別する。
【００１６】
また本人識別装置は、予めカードに記録した本人の指紋データを読み取るカードデータ読取手段と、そのカードを持参した人の指紋を読み取る指紋データ読取手段と、その指紋データ読取手段で読み取った指紋データと、上記カードデータ読取手段で読み取った指紋データとを照合して一致するか否かを判別する指紋照合手段とを備える。
【００１７】
上記のように予め本人の指紋データをカードに記録し、そのカードに記録した指紋データと、そのカードを持参した人の指紋データとを照合して本人であるか否かを判別するようにしたので、従来のように各指紋照合装置に指紋データを登録保存する必要がなくなり、指紋データの管理や装置構成を簡略化することが可能となる。
【００１８】
以上説明したように指紋認識装置は、予め本人の指紋データをカードに記録し、そのカードに記録した指紋データと、そのカードを持参した人の指紋データとを照合して本人であるか否かを判別するようにしたので、従来のように各指紋照合装置等に指紋データを登録保存する必要がなくなり、装置構成や指紋データの管理や装置構成を大幅に簡略化できると共に、登録できる人数に制約があり指紋照合装置を利用できる人数が限られていたが、利用できる人数の制限や、指紋データの事前登録等の面倒を解消することができる。
【００１９】
また従来の指紋照合装置では照合する対象が登録してあるデータ全てに対して行っているため登録して有るデータ件数が増えるにつれて他人受け入れ率（他人であるにも拘わらず本人であると誤認する率）が高くなってしまったが、照合するデータがカードに登録してあるデータだけなので容易・迅速に照合できると共に、使用する人数に関係なく他人受け入れ率は変わらない等の効果を有する。
【００２０】
また、従来の技術として、特開２０００−３３１１５７号公報がある。
【００２１】
これは、顔画像による本人確認を行うシステムにおいて、定量的、客観的な比較による自動判定を行う事で、確認精度の向上等を図れる本人自動確認機能付き端末システムを提供することにある。
【００２２】
来店した顧客３の画像を顔画像カメラで、顧客が持参した顔写真入り身分証明証をカードＲ／Ｗ内蔵の顔写真読み取り機構または書画カメラにて撮影し、制御部によりそれら顔画像の照合率を算出し、一定以上の照合率の場合には取り引き業務を続行する。
【００２３】
照合率が一定値以下の場合あるいはいかなる場合においても比較した画像と算出した照合率をＩＳＤＮなどの回線等により上位側端末に送信し、上位側端末オペレータがそれら画像および照合率を参考に本人確認を行う。
【００２４】
本人確認を行う本人確認機能付き端末システムにおいて、利用者の身分証明証の顔写真部分を読み取る読取手段と、前記を持参した顧客の顔画像を撮影する撮影手段と、撮影した顧客顔写真入りのカードの顔写真部分と顧客の顔画像を比較する比較手段を有する構成としたものである。
【００２５】
顔画像による本人確認を装置により部分的または完全に自動化することにより、定量的な顔画像による本人確認および確認精度の向上、オペレータ労力の軽減を図る。
【００２６】
また、従来の技術として、特開２００１−２９７２８７号公報がある。
【００２７】
これは、クレジットカードや各種プリぺイドカードの取得時に利用者の情報を付加することにより正当な使用者であるか否かを確実に認証できるようにする。
【００２８】
決済カードの発行時に、申込者は、カード発行機にカードを挿入し、カード発行機の所定の箇所に任意の指を押下する。
【００２９】
指紋読取部は申込者の指紋データを読み取り、各種カード情報などと共にこの指紋データをカードに登録する。決済カードの使用時には、使用者は決済カードを信用照会端末に挿入し、この端末の指紋押下部に決済カードに登録されている指を接触させる。
【００３０】
指紋読取部は使用者の指紋を読み取り、決済カ―ドに登録されている指紋データと読取った指紋とを比較照合し、両者の指紋が一致すれば、使用者は申込者本人であると認証され、端末は決済カードの利用に即した処理を行う。
【００３１】
この第１の決済カードシステムは、受益供与に対する対価の決済に用いる決済カードと、この決済カードに記録された情報に基づいて受益供与に相当する代金決済を実行する決済端末とを備え、決済端末が、使用される決済カードの正当性を認証して代金決済を実行する決済カードシステムにおいて、決済カードには、予め、決済カード申請者の指紋情報が登録されている。
【００３２】
そして、決済端末が、決済カードの使用時に、決済カード使用者の指紋情報と、使用される決済カードに登録されている指紋情報とを比較照合し、両者の指紋情報が一致して使用される決済カードの正当性を認証したとき、代金決済を実行する。すなわち、この決済カードシステムは、クレジットカードや各種プリぺイドカードの使用時に、正当な使用者であるかどうかを確実に認証するために、指紋による認証を用いたことを特徴としている。
【００３３】
また、第２の決済カードシステムは、前記第１の決済カードシステムにおいて、決済カードを発行するカード発行機を備え、このカード発行機が、決済カード申請者から取得した指紋情報を読み取る申請者指紋読取手段と、申請者指紋読取手段が読み取った指紋情報を決済カード申請者が使用すべき決済カードに書き込む指紋情報書込手段と、決済カード申請者の指紋情報が登録された決済カードを発行する決済カード発行手段とを有し、また、決済端末が、決済カード使用者から取得した指紋情報を読み取る使用者指紋読取手段と、使用される決済カードに登録されている指紋情報と使用者指紋読取手段が読み取った指紋情報とを比較照合する指紋情報比較照合手段と、指紋情報比較照合手段が比較照合した指紋情報が一致したとき、使用される決済カードに関する代金決済を実行する代金決済手段とを有している。
【００３４】
また、次の第３の決済カードシステムは、前記第１の決済カードシステムにおいて、決済カードを発行するカード発行機と、上位装置としてカード発行機を統括するホスト装置とを備え、カード発行機が、決済カード申請者から取得した指紋情報を読み取る申請者指紋読取手段と、申請者指紋読取手段が読み取った指紋情報を決済カード申請者が使用すべき決済カードに書き込む指紋情報書込手段と、申請者指紋読取手段が読み取った指紋情報をホスト装置へ送信する指紋情報送信手段と、決済カード申請者の指紋情報が登録された決済カードを発行する決済カード発行手段とを有し、ホスト装置が、カード発行機から受信した決済カード申請者の指紋情報を格納する指紋情報格納手段と、決済端末からの要求に応じて、指紋情報格納手段に格納されている決済カード申請者の指紋情報を決済端末へ通知する指紋情報通知手段とを有し、さらに、決済端末が、決済カード使用者から取得した指紋情報を読み取る使用者指紋読取手段と、使用される決済カードに登録されている指紋情報と使用者指紋読取手段が読み取った指紋情報とホスト装置から受信した指紋情報とを比較照合する指紋情報比較照合手段と、指紋情報比較照合手段が比較照合した全ての指紋情報が一致したとき、使用される決済カードに関する代金決済を実行する代金決済手段とを有する。
【００３５】
また、次の第４の決済カードシステムは、前記第１〜第３の何れかに記載の決済カードシステムにおいて、決済カードはクレジットカードであることを特徴とする。
【００３６】
また、次の第５の決済カードシステムは、前記第１の決済カードシステムにおいて、決済カードはプリペイドカードであり、プリペイドカードを発行するカード発行機と、上位装置としてこのカード発行機を統括するホスト装置とを備え、カード発行機が、プリペイドカード購入者から取得した指紋情報を読み取る購入者指紋読取手段と、購入者指紋読取手段が読み取った指紋情報を、プリペイドカード申請者が購入すべきプリペイドカードに書き込む指紋情報書込手段と、購入者指紋読取手段が読み取った指紋情報をホスト装置へ送信する指紋情報送信手段と、プリペイドカード購入者が投入した金額に相当する金額情報が記録され、且つ、プリペイドカード購入者の指紋情報が登録されたプリペイドカードを発行するプリペイドカード発行手段とを有し、ホスト装置が、カード発行機から受信したプリペイドカード購入者の指紋情報を格納する指紋情報格納手段と、決済端末からの要求に応じて、指紋情報格納手段に格納されているプリペイドカード購入者の指紋情報を決済端末へ通知する指紋情報通知手段とを有し、さらに、決済端末が、プリペイドカード使用者から取得した指紋情報を読み取る使用者指紋読取手段と、使用されるプリペイドカードに登録されている指紋情報と使用者指紋読取手段が読み取った指紋情報とホスト装置から受信した指紋情報とを比較照合する指紋情報比較照合手段と、指紋情報比較照合手段が比較照合した全ての指紋情報が一致したとき、使用されるプリペイドカードに関する利益を供与し、プリペイドカードに記載された金額情報の相殺を行うする利益供与手段とを有することを特徴とする。
【００３７】
また、これは、決済カードシステムによる決済方法であって、受益供与に対する対価の決済に用いる決済カードと、この決済カードに記録された情報に基づいて受益供与に相当する代金決済を実行する決済端末とを備え、決済端末が、使用される決済カードの正当性を認証して代金決済を実行する決済カードシステムによる決済方法において、決済カードに決済カード申請者の指紋情報を登録する過程と、決済カード申請者の指紋情報が登録された決済カードを発行する過程とを経て、決済端末が、決済カード使用者から取得した指紋情報を読み取る過程と、使用される決済カードに登録されている指紋情報と読み取った指紋情報とを比較照合する過程と、比較照合した指紋情報が一致したときに、使用される決済カードに関する代金決済を実行する過程とによって代金決済を行うことを特徴とする決済カードシステムによる決済方法である。
【００３８】
さらに、次の決済カードシステムによる決済方法は、受益供与に対する対価の決済に用いる決済カードと、決済カードに記録された情報に基づいて受益供与に相当する代金決済を実行する決済端末とを備え、決済端末が、使用される決済カードの正当性を認証して代金決済を実行する決済カードシステムによる決済方法において、決済カードに決済カード申請者の指紋情報を登録する過程と、上位装置としてカード発行機を統括するホスト装置へ、決済カード申請者の指紋情報を登録する過程と、決済カード申請者の指紋情報が登録された決済カードを発行する過程とを経て、決済端末が、決済カード使用者から取得した指紋情報を読み取る過程と、ホスト装置から決済カード申請者の指紋情報を取得する過程と、使用される決済カードに登録されている指紋情報と読み取った指紋情報とホスト装置から受信した指紋情報とを比較照合する過程と、比較照合した全ての指紋情報が一致したときに、使用される決済カードに関する代金決済を実行する過程とを経て代金決済を行うことを特徴とする決済カードシステムによる決済方法である。
【００３９】
以上説明したように、これらの決済カードシステムによれば、集積回路による指紋認証チップを、各種カード発行機の指紋読取部に使用し、各種カードを発行する際に使用者の指紋情報を取得して、各種カードのメモリ部に、ＩＤ情報や暗証番号や金額情報などの必要なカード情報と共に、使用者の指紋情報を書き込む。そして、決済カードを使用する場合は、決済カードを使用する各種端末（例えば、信用照会端末、公衆電話機、パチンコ台など）に挿入し、各種端末に接続された指紋認証チップを備えた指紋読取部に、決済カードに登録した指を押下することによって、決済カードに登録された指紋情報と、決済カードの使用時に使用者が押下した指の指紋とを比較照合して本人を確認する。
【００４０】
このようにして、本人であることが確認されたら、クレジットカードによる代金決済や、公衆電話機の使用や、パチンコのゲーム開始などの各種の決済処理を行う。これによって、確実に決済カード使用者の本人性認証を行うことができる。さらに、各種カードを発行する際に指紋情報を上位のホスト装置にも登録することによって、各種カード内の指紋情報の改竄にも対応することができ、より高度に本人の確認を行うことができる。
【００４１】
また、従来の技術として、特開２００１−３３１７５０号公報がある。
【００４２】
これは、他人によるプリペイドカードの不正使用を確実に防止し、かつ電子遊技機の不正行為を効果的に抑制する。
【００４３】
プリペイドカードの購入際に、プリペイドカード販売機から利用者の指紋情報、パスワードを入力する。その情報はＩＣカード７の認識番号とともにセキュリティデータとしてカード管理運営コンピュータ、ＩＣカードに格納される。
【００４４】
電子遊技機をプレイする際には、ＩＣカードを電子遊技機に差し込み、かつ電子遊技機から指紋情報とパスワードとを入力する。電子遊技機のセキュリティ通信制御部は、カード管理運営コンピュータに登録したセキュリティデータを取り込み、このセキュリティデータ、電子遊技機から入力されたセキュリティデータ、およびＩＣカードのセキュリティデータを照合し、一致している場合にはＩＣカードの使用を許可する。
【００４５】
この第１のプリペイドカード照合システムは、ネットワークに接続され、プリペイドカードを購入する際に、利用者により入力されたセキュリティデータを該プリペイドカードに書き込んで発行するプリペイドカード発行手段と、ネットワークに接続され、そのネットワークを介してプリペイドカード発行手段から入力されたセキュリティデータを格納するデータ格納手段と、ネットワークに接続され、利用者がプリペイドカードを使用する際に入力されるセキュリティデータとネットワークを介してプリペイドカード発行手段から取り込んだセキュリティデータとネットワークを介して前記データ格納手段から取り込んだセキュリティデータとを照合し、それら３つのセキュリティデータが合致した場合にだけプリペイドカードの使用を許可するカード使用手段とを備えたことを特徴とする。
【００４６】
また、次の第２のプリペイドカード照合システムは、前記プリペイドカード発行手段が、利用者のセキュリティデータが入力される第１セキュリティデータ入力部と、プリペイドカードに予め格納された認識番号を読み出すデータ読み出し部と、第１セキュリティデータ入力部から入力されたセキュリティデータを前記プリペイドカードに書き込むデータ書き込み部とを備え、前記カード使用手段が、プリペイドカードのセキュリティデータを読み出すセキュリティデータ読み出し部と、利用者のセキュリティデータが入力される第２セキュリティデータ入力部と、データ格納手段から取り込んだセキュリティデータと、プリペイドカードから読み出したセキュリティデータと、第２セキュリティデータ入力部から入力されたセキュリティデータとを照合し、それら３つのセキュリティデータが合致した場合にだけプリペイドカードの使用を許可する比較制御部とを備えたことを特徴とする。
【００４７】
さらに、第３のプリペイドカード照合システムは、前記第１、第２セキュリティデータ入力部から入力されるセキュリティデータが、利用者の指紋情報、およびパスワードであり、前記データ格納手段に格納されるセキュリティデータが、第１セキュリティデータ入力部から入力された利用者の指紋情報、パスワード、ならびにデータ読み出し部に読み出されたプリペイドカードの認識番号であることを特徴とする。
【００４８】
また、第１の電子遊技管理システムは、ネットワークに接続され、電子遊技施設で使用されるプリペイドカードを購入する際に、利用者により入力されたセキュリティデータをプリペイドカードに書き込んで発行するプリペイドカード発行手段と、ネットワークに接続され、そのネットワークを介してプリペイドカード発行手段から入力されたセキュリティデータを格納するデータ格納手段と、ネットワークに接続され、利用者が電子遊技施設においてプリペイドカードを使用する際に入力されるセキュリティデータとネットワークを介してプリペイドカード発行手段から取り込んだセキュリティデータとネットワークを介してデータ格納手段から取り込んだセキュリティデータとを照合し、それら３つのセキュリティデータが合致した場合にだけプリペイドカードの使用を許可するカード使用手段を設けた電子遊技機と備えたことを特徴とする。
【００４９】
さらに、次の第２の電子遊技管理システムは、前記プリペイドカード発行手段が、利用者のセキュリティデータが入力される第１セキュリティデータ入力部と、プリペイドカードに予め格納された認識番号を読み出すデータ読み出し部と、第１セキュリティデータ入力部から入力されたセキュリティデータをプリペイドカードに書き込むデータ書き込み部とを備え、前記カード使用手段が、プリペイドカードのセキュリティデータを読み出すセキュリティデータ読み出し部と、利用者のセキュリティデータが入力される第２セキュリティデータ入力部と、データ格納手段から取り込んだセキュリティデータとプリペイドカードから読み出したセキュリティデータと第２セキュリティデータ入力部から入力されたセキュリティデータとを照合し、それら３つのセキュリティデータが合致した場合にだけプリペイドカードの使用を許可する比較制御部とを備えたことを特徴とする。
【００５０】
また、次の第３の本発明の電子遊技管理システムは、前記第１、第２セキュリティデータ入力部から入力されるセキュリティデータが、利用者の指紋情報、およびパスワードであり、前記データ格納手段に格納されるセキュリティデータが、第１セキュリティデータ入力部から入力された利用者の指紋情報、パスワード、ならびにデータ読み出し部により読み出されたプリペイドカードの認識番号であることを特徴とする。
【００５１】
さらに、次の第４の電子遊技管理システムは、前記第１〜第３の電子遊技管理システムに、ネットワークに接続され、ネットワークを介して検知信号が入力された際に、電子遊技機に格納されている遊技プログラムを診断する診断プログラムを返信するセキュリティ制御手段を備え、前記電子遊技機には、電子遊技機に電源が供給されたことを検知し、ネットワークを介してセキュリティに検知信号を出力し、セキュリティ制御手段から返送された診断プログラムにより遊技プログラムを診断し、診断結果に不具合がある場合にセキュリティ制御手段に異常信号を出力する検知制御部を設けたことを特徴とする。
【００５２】
また、次の第５の電子遊技管理システムは、前記検知制御部は、セキュリティ制御手段から返信される診断プログラムを診断終了毎に消去することを特徴とする。
【００５３】
さらに、次の第６の電子遊技管理システムは、ネットワークに接続され、そのネットワークを介して検知信号が入力された際に、電子遊技機に格納されている遊技プログラムを診断する診断プログラムを返信するセキュリティ制御手段と、電子遊技機に電源が供給されたことを検知し、ネットワークを介してセキュリティに検知信号を出力し、セキュリティ制御手段から返送された診断プログラムにより遊技プログラムを診断し、診断結果に不具合がある場合に該セキュリティ制御手段に異常信号を出力する検知制御部を設けた電子遊技機とを備えたことを特徴とする。
【００５４】
また、次の第７の電子遊技管理システムは、前記検知制御部は、セキュリティ制御手段から返信される診断プログラムを診断終了毎に消去し、セキュリティ制御手段は、診断プログラムの内容を返信する毎に変更することを特徴とする。
【００５５】
以上のことにより、プリペイドカードを使用する際に、３つのセキュリティデータよって照合するので、該プリペイドカードの不正使用を、短時間で確実に防止することができる。
【００５６】
また、電子遊技機に電源が供給されると診断プログラムによって、遊技プログラムを自動診断するので、作業工数などをかけることなく、遊技プログラムの不正使用などを発見、防止することができる。
【００５７】
以上のようなことから効果として、プリペイドカードを使用する際に、３つのセキュリティデータを照合するので、該プリペイドカードをリアルタイムに管理しながら不正使用を短時間で確実に防止することができる。また、電子遊技機に電源が供給される毎に診断プログラムによって遊技プログラムを自動診断するので、作業工数などをかけることなく、遊技プログラムの改竄、不正使用などを確実に防止することができる。
【００５８】
また、従来の技術として、特開２００１−３４４５４４号公報がある。
【００５９】
これは、端末使用者についても本人確認のできる安全性に優れた携帯端末を提供するものである。
【００６０】
所定の決済情報に基づいて決済が行われる決済処理装置と相互通信が可能に構成され、決済時にユーザの上記所定の決済情報を上記決済処理装置へ送出することにより電子決済が行われる携帯電話機において、使用者の指紋特徴を指紋特徴データとして取り込む指紋入力部と、ユーザ本人の指紋特徴データが格納されたＩＣカードと、指紋入力部から取り込まれた使用者の指紋特徴データとＩＣカードに格納されているユーザ本人の指紋特徴データとを比較照合する指紋照合部と、指紋照合部における照合結果が一致した場合にのみ、上記決済処理装置への所定の決済情報装置への所定の決済情報の送出を許可する制御部とを有する。
【００６１】
この携帯端末は、所定の決済情報に基づいて決済が行われる決済処理装置と相互通信が可能に構成され、決済時にユーザの前記所定の決済情報を前記決済処理装置へ送出することにより電子決済が行われる携帯端末において、使用者の特徴を特徴データとして取り込む特徴取込手段と、ユーザ本人を特定可能な特徴を示す照合用データが格納される記憶手段と、前記特徴取込手段から取り込まれた特徴データと前記記憶手段に格納されている照合用データとを比較照合する照合手段と、前記照合手段における照合結果が一致した場合にのみ、前記決済処理装置への所定の決済情報の送出を許可する通信制御手段と、を有することを特徴とする。
【００６２】
第１のの電子決済システムは、上記の携帯端末と相互通信可能に構成され、該携帯端末による電子決済が可能に構成された決済処理装置を有する電子決済システムであって、前記携帯端末は、購入商品の金額およびその振り込み先が入力され、電子決済を行う旨の入力が行われると、使用者に対して本人確認のための特徴入力を要求し、該要求に応じて入力された使用者の特徴データと予め格納されているユーザ本人の特徴を示す照合用データとを比較照合し、該照合結果が一致した場合にのみ、予め登録されている所定の決済情報と前記購入商品の金額およびその振り込み先とを前記決済処理装置へ送出し、前記決済処理装置は、予め登録されている前記携帯端末のユーザの特定が可能なＩＤ番号と前記携帯端末から受け取った所定の決済情報に含まれているユーザＩＤ番号とを比較照合してユーザ認証を行い、該ユーザ認証結果が正当である場合にのみ、前記携帯端末から受け取った購入商品の金額および振り込み先に基づいて、該購入商品の金額を該振り込み先へ振り込むとともに、前記携帯端末に対して電子決済の領収を示すメッセージを送出することを特徴とする。
【００６３】
また、次の第２の電子決済システムは、上記の携帯端末に対して所定の商品情報を提供するとともに該携帯端末からの商品の受注が可能に構成されたサーバと、前記携帯端末のユーザ本人の特徴を示す照合用データが格納されたＩＣカードを発行する金融機関における指定口座への振り込みが可能な決済処理装置とを有し、前記携帯端末は、前記ＩＣカードが搭載され、前記サーバから提供された商品情報のうちから所望の商品が選択され、該選択商品について電子決済を行う旨の入力が行われると、使用者に対して本人確認のための特徴入力を要求し、該要求に応じて入力された使用者の特徴データと前記ＩＣカードに格納されている照合用データとを比較照合し、該照合結果が一致した場合にのみ、予め格納されている所定の決済情報を前記サーバへ送出し、前記サーバは、前記携帯端末から受け取った所定の決済情報と、前記選択商品の金額およびその振り込み先を前記決済処理装置へ送出し、前記決済処理装置は、予め登録されている前記携帯端末のユーザの特定が可能なＩＤ番号と前記サーバから受け取った所定の決済情報に含まれているユーザＩＤ番号とを比較照合してユーザ認証を行い、該ユーザ認証結果が正当である場合にのみ、前記サーバから受け取った購入商品の金額および振り込み先に基づいて、該購入商品の金額を該振り込み先へ振り込むとともに、前記携帯端末およびサーバに対して電子決済の領収を示すメッセージを送出するようにしている。
【００６４】
次にこの第１の電子決済方法は、携帯端末と、前記携帯端末と相互通信可能に構成され、該携帯端末による電子決済が可能に構成された決済処理装置とを有するシステムにおいて行われる電子決済方法であって、前記携帯端末が、購入商品の金額およびその振り込み先が入力され、電子決済を行う旨の入力が行われると、使用者に対して本人確認のための特徴入力を要求し、該要求に応じて入力された使用者の特徴データと予め格納されているユーザ本人の特徴を示す照合用データとを比較照合し、該照合結果が一致した場合にのみ、予め格納されている所定の決済情報と前記購入商品の金額およびその振り込み先とを前記決済処理装置へ送出する第１のステップと、前記決済処理装置が、予め登録されている前記携帯端末のユーザの特定が可能なＩＤ番号と前記第１のステップで前記携帯端末から送出された所定の決済情報に含まれているユーザＩＤ番号とを比較照合してユーザ認証を行い、該ユーザ認証結果が正当である場合にのみ、前記第１のステップで前記携帯端末から送出された購入商品の金額および振り込み先に基づいて、該購入商品の金額を該振り込み先へ振り込むとともに、前記携帯端末に対して電子決済の領収を示すメッセージを送出する第２のステップとを含むことを特徴とする。
【００６５】
また、次の第２の電子決済方法は、携帯端末と、前記携帯端末に対して所定の商品情報を提供するとともに該携帯端末からの商品の受注が可能に構成されたサーバと、前記携帯端末のユーザ本人の特徴を示す照合用データが格納されたＩＣカードを発行する金融機関における指定口座への振り込みが可能な決済処理装置とを有するシステムにおいて行われる電子決済方法であって、前記携帯端末が、前記サーバから提供された商品情報のうちから所望の商品が選択され、該選択商品について電子決済を行う旨の入力が行われると、使用者に対して本人確認のための特徴入力を要求し、該要求に応じて入力された使用者の特徴データと前記ＩＣカードに格納されている照合用データとを比較照合し、該照合結果が一致した場合にのみ、予め登録されている所定の決済情報を前記サーバへ送出する第１のステップと、前記サーバが、前記携帯端末から受け取った所定の決済情報と、前記選択商品の金額およびその振り込み先を前記決済処理装置へ送出する第２のステップと、前記決済処理装置が、予め登録されている前記携帯端末のユーザの特定が可能なＩＤ番号と前記第２のステップで前記サーバから送出された所定の決済情報に含まれているユーザＩＤ番号とを比較照合してユーザ認証を行い、該ユーザ認証結果が正当である場合にのみ、前記サーバから受け取った選択商品の金額および振り込み先に基づいて、該選択商品の金額を該振り込み先へ振り込むとともに、前記携帯端末およびサーバに対して電子決済の領収を示すメッセージを送出する第３のステップとを含むことを特徴とする。
【００６６】
上記のことから作用として、オンライン決済システムのようにクレジット・カードは必要ないので、クレジット・カードの悪用などの問題は生じない。
【００６７】
また、使用者が携帯端末のユーザ本人であるかどうかの確認がなされ、ユーザ本人である場合にのみ携帯端末による電子決済が行われるようになっているので、ユーザ以外の人間がこの携帯端末を用いて電子決済を行うことはできない。
【００６８】
以上説明したように、本発明によれば、ユーザ以外の人間が携帯端末を用いて電子決済を行うことはできないので、より安全性の高い電子決済を提供することができる。
【００６９】
また、従来の技術として、特開２００２−２１５９号公報がある。
【００７０】
これは、生徒の中には、授業があまり好きではない者もあるが、できるだけ授業に出席する張り合いを生徒に持たせるようにし、更に、できるだけテストに楽しみの要素を加えることで、生徒に自発的に勉強するように工夫した教育業界用ポイントカード及びそのカードシステムを提供することを目的とする。
【００７１】
カード基材表面に顔写真画像表示部と、データ記録部と、サービスポイントを書換え可能に表示するサービスポイント表示部とを備えた教育業界用ポイントカードと、データ記録部に対する書込読取手段と、サービスポイント表示部に対する表示書込書換手段とを有するリーダライターと、サービスポイントを入力する入力手段と、サービスポイントを記憶する記憶手段と、サービスポイントを表示書込書換手段によりサービスポイント表示部に表示するように制御する制御手段とを有するコンピュータと、を具備することを特徴とする。
【００７２】
この教育業界用ポイントカードは、教育機関から生徒に発行される教育業界用ポイントカードであって、カード基材表面に生徒の顔写真画像が表示された顔写真画像表示部と、サービスポイントを書換え可能に表示するサービスポイント表示部とを備えたことを特徴とする。
【００７３】
また、この教育業界用ポイントカードシステムは、カード基材表面に生徒の顔写真画像が表示された顔写真画像表示部と、データ記録部と、サービスポイントを書換え可能に表示するサービスポイント表示部とを備えた教育業界用ポイントカードと、前記データ記録部に対するデータの書き込みや読取りを行う書込読取手段と、前記サービスポイント表示部へのサービスポイントの書き込みや書換えを行う表示書込書換手段とを有するカードリーダライターと、サービスポイントを入力する入力手段と、前記サービスポイントを記憶する記憶手段と、前記記憶手段に記憶されたサービスポイントを前記表示書込書換手段により教育業界用ポイントカードのサービスポイント表示部に表示するように制御する制御手段とを有するコンピュータと、を具備することを特徴とする。
【００７４】
また、前記サービスポイントが、生徒の授業への出席回数に基づいて点数化したものであることを特徴とする。更に、前記サービスポイントが、生徒の試験の成績に基づいて点数化したものであることを特徴とする。
【００７５】
上述のように、この教育業界用ポイントカードは、生徒の身分を証明できると共に、サービスポイントも書換え可能に表示することができるので、生徒が授業に出席する際に常に携帯し、またサービスポイントの残高を簡単に確認できるので生徒が授業に出席する張り合いや、更にテストで良い点を取る励みにもなり効果的である。
【００７６】
また、この教育業界用ポイントカードシステムは、生徒の授業への出席状況やテストの成績などに基づいたサービスポイントをポイントカードに書換え可能に表示することができるので、生徒へのサービスポイントの伝達を簡単に行うことができ、特に、生徒の授業への出席回数やテストの成績に応じてサービスポイントを加算させることで、生徒の授業への出席意欲やテストへの取り組み意欲を高めることが期待できる。
【００７７】
また、従来の技術として、特開２００２−８３２８９号公報がある。
【００７８】
これは、乾燥肌や脂性肌等のように個人差を有する人間の指先の指紋画像を検出する場合に的確な検出を行う。
【００７９】
ＩＣカードがＩＣカードリーダに挿入されると、ＩＣカードリーダはＩＣカードから利用者特有の指紋データ，パラメータ及び待ち時間を読み取り、この利用者特有のパラメータをセンサチップのＡ／Ｄ変換部に設定し、かつ利用者特有の待ち時間をタイマに設定する。
【００８０】
利用者の指がセンサチップに押捺されるとタイマを起動し、タイマのタイムアップ後センサチップを起動して指の指紋を検出させる。そして、センサチップが検出した指紋データとＩＣカードからの指紋データを照合して利用者本人の認証を行う。
【００８１】
指紋を検出する半導体からなる容量型センサチップと、利用者の指紋画像データ及び容量型センサチップのパラメータを含む個人情報を保管する保管部と、容量型センサチップにより検出された指紋画像データと保管部の指紋データとを照合する指紋照合部と、容量型センサチップに対して前記保管部のパラメータを設定する設定部と、設定部による容量型センサチップへのパラメータの設定後、この容量型センサチップを起動し指紋画像データを検出させる制御部とを設け、指紋照合部は、制御部の容量型センサチップの起動後にこの容量型センサチップにより検出された指紋画像と保管部の指紋データとを照合して指紋認証を行うようにしたものである。
【００８２】
また、保管部は、容量型センサチップの指紋画像検出時の待ち時間を個人情報として保管し、容量型センサチップへの指の接触を検出する検出部を設け、制御部は、検出部により指の接触が検出された後、保管部の待ち時間経過後に容量型センサチップを起動し指紋画像の検出を開始させるものである。
【００８３】
また、個人情報を保管する保管部をＩＣカードに設けるとともに、ＩＣカードのデータを読み取るＩＣカードリーダに、容量型センサチップ、指紋照合部、設定部，制御部及び検出部を設けたものである。
【００８４】
以上説明したように、指紋を検出する半導体からなる容量型センサチップと、利用者の指紋画像データ及び容量型センサチップのパラメータを含む個人情報を保管する保管部と、容量型センサチップにより検出された指紋画像データと保管部の指紋データとを照合する指紋照合部と、容量型センサチップに対して保管部のパラメータを設定する設定部とを設け、設定部による容量型センサチップへのパラメータの設定後、この容量型センサチップを起動し指紋画像データを検出させるようにしたので、乾燥肌や脂性肌等、各個人毎に差がある人間の指先の指紋画像を検出する場合に、こうした個人差に応じたパラメータが容量型センサチップに設定されることから、容量型センサチップからは前記のような個人差に影響されない、的確な指紋画像を出力させることが可能になる。
【００８５】
また、保管部は、容量型センサチップの指紋画像検出時の待ち時間を個人情報として保管するとともに、容量型センサチップへの指の接触を検出する検出部を設け、検出部により指の接触が検出された後、保管部の待ち時間経過後に容量型センサチップを起動し指紋画像の検出を開始させるようにしたので、個人差を有する人間の指先の指紋画像を検出する際には前記のような個人差に応じて容量型センサチップの検出待ち時間が設定されることから、容量型センサチップからはこうした個人差に影響されない、より正確な指紋画像を出力させることが可能になる。
【００８６】
また、個人情報を保管する保管部をＩＣカードに設けるとともに、ＩＣカードのデータを読み取るＩＣカードリーダに、容量型センサチップ、指紋照合部、設定部，制御部及び検出部を設けるようにしたので、各利用者は自身の個人情報を的確に管理保管できる。
【００８７】
また、従来の技術として、登録実用新案　第３０１３２５３号公報がある。
【００８８】
これは、偽造が困難な信頼性の高い偽造判別カードであり、保有者を特定するための顔写真を粘着するカードにおいて、前記顔写真に、暗証番号を記録する磁気記憶部が形成されと共に、カードの他の機械読み取るための情報記録部にも、前記暗証番号が記録されている。
【００８９】
この偽造判別カードによれば、このカードの保有者の顔写真に暗証番号を記録するための磁気記録部が形成されるため、顔写真を交換して使用することが困難であり、信頼性の高い偽造判別カードになる。
【００９０】
【発明が解決しようとする課題】
上述した従来の技術は、
第１の問題点は、カードの使用が限定されたものとなってしまう。
【００９１】
その理由は、カードに書き込む情報が特定なものを要求されためである。
【００９２】
第２の問題点は、テストを受験するすためには、本人確認と受験料の支払が面倒であった。
【００９３】
その理由は、テスト会場では、専用受験票、運転免許書、パスポートなどの写真を目視することにより、本人であることを確認するが、なりすましによる受験が不可能であるとは限らなく、受験後、銀行にて受験料を支払う操作が必要であったるためである。
【００９４】
本発明の目的は、テストの受験者は、顔写真入りのクレジットカードを所有し、テストを受験する場合、受付でクレジットカードの顔写真で本人確認を行い、クレジットカードの暗証番号を入力することにより、クレジットカードを所有する本人であることを認証し、認証された後、クレジットカードのＩＣカードより、個人情報を読みとり、個人情報をもとに受験システムを起動し、また、個人情報が認証された後、クレジットカード会社に受験料の請求データを送信し、受験料の支払いを自動化し、クレジットカードの顔写真、暗証番号で本人であることを確認し、クレジットカードが持つ規約により、なりすまし受験を防ぐことができる、また、受験料をクレジットカード会社から直接銀行口座より引き落とすことにより、受験料を銀行にて振り込むなどの手間を省くことができるようにする、認証機能と支払い機能、受験システムを統合した、テストの運営を効率的に行うこうとができるクレジットカードを利用したテストセンターシステムとクレジットカードを利用したテストセンターの処理方法を提供することにある。
【００９５】
【課題を解決するための手段】
第１の発明のクレジットカードを利用したテストセンターシステムは、テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りのクレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【００９６】
また、第２の発明のクレジットカードを利用したテストセンターシステムは、テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りのＩＣカード付クレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【００９７】
また、第３の発明のクレジットカードを利用したテストセンターシステムは、テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りおよび指紋写真入りのクレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【００９８】
また、第４の発明のクレジットカードを利用したテストセンターシステムは、テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りおよび指紋写真入りのＩＣカード付クレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【００９９】
また、第５の発明のクレジットカードを利用したテストセンターシステムは、テストの会場となるテストセンターは、受付で受験者の確認をクレジットカードに写された顔写真と受験者本人の素顔とを照合することで本人確認を行う手段と、ＩＣカードに記憶された指紋情報を指紋認証システムで認証する手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備え、テストの受験者は、顔写真入りのＩＣカード付クレジットカードを所有し、ＩＣカードに指紋情報を記憶し、テストを受験する場合、テストセンター赴き、受付でクレジットカードに写された顔写真とＩＣカードに記憶された指紋情報を指紋認証システムで認証することにより本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【０１００】
また、第６の発明のクレジットカードを利用したテストセンターの処理方法は、テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りのクレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【０１０１】
また、第７の発明のクレジットカードを利用したテストセンターの処理方法は、テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りのＩＣカード付クレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【０１０２】
また、第８の発明のクレジットカードを利用したテストセンターの処理方法は、テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りおよび指紋写真入りのクレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【０１０３】
また、第９の発明のクレジットカードを利用したテストセンターの処理方法は、テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りおよび指紋写真入りのＩＣカード付クレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【０１０４】
また、第１０の発明のクレジットカードを利用したテストセンターの処理方法は、テストの会場となるテストセンターは、受付で受験者の確認をクレジットカードに写された顔写真と受験者本人の素顔とを照合することで本人確認を行う手段と、ＩＣカードに記憶された指紋情報を指紋認証システムで認証する手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験を実行する方法であって、テストの受験者は、顔写真入りのＩＣカード付クレジットカードを所有し、ＩＣカードに指紋情報を記憶し、テストを受験する場合、テストセンター赴き、受付でクレジットカードに写された顔写真とＩＣカードに記憶された指紋情報を指紋認証システムで認証することにより本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う。
【０１０５】
また、第１１の発明のプログラムは、テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りのクレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させる。
【０１０６】
また、第１２の発明のプログラムは、テストの会場となるテストセンターは、受付で受験者の確認をクレジットカードに写された顔写真と受験者本人の素顔とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りのＩＣカード付クレジットカードを所有し、テストを受験する場合、テストセンター赴き、受付でクレジットカードの顔写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させる。
【０１０７】
また、第１３の発明のプログラムは、テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りおよび指紋写真入りのクレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させる。
ことを特徴とすたテストセンターの処理方法。
【０１０８】
また、第１４の発明のプログラムは、テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りおよび指紋写真入りのＩＣカード付クレジットカードを所有し、テストを受験する場合、テストセンター赴き、受付でクレジットカードの顔写真と指紋写真で本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させる。
【０１０９】
また、第１５の発明のプログラムは、テストの会場となるテストセンターは、受付で受験者の確認をクレジットカードに写された顔写真と受験者本人の素顔とを照合することで本人確認を行う手段と、ＩＣカードに記憶された指紋情報を指紋認証システムで認証する手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えたテストセンターシステムにおける受験の処理において、テストの受験者は、顔写真入りのＩＣカード付クレジットカードを所有し、ＩＣカードに指紋情報を記憶し、テストを受験する場合、テストセンター赴き、受付でクレジットカードに写された顔写真とＩＣカードに記憶された指紋情報を指紋認証システムで認証することにより本人確認を行い、クレジットカード読みとり装置にクレジットカードを通し、クレジットカード認証システムにクレジットカードの暗証番号を入力し、クレジットカード認証システムはクレジットカード会社にアクセスし、クレジットカード会社の個人データベースを参照し、クレジットカードを所有する本人であることを認証し、認証された後、クレジットカードのＩＣカードより、受験者の氏名を含む個人情報を読みとり、個人情報をもとに受験システムを起動し、また、個人情報が認証された後、テストセンターはテスト管理センターにアクセスし、テスト管理センターににある個人データベースに照合をかけ、固有情報をもとに本人の個人データを検索し、検索でヒットした場合、個人データに受験システムが参照する受験許可フラグを情報設定し、受験システムから、テスト管理センターの個人データベースを参照し、受験許可フラグが立っている場合、テスト管理センターのテストデータベースからテストデータが転送され、また、クレジットカード認証システムでは、個人情報が認証され、受験許可フラグが立った後、クレジットカード会社に受験料の請求データを送信し、クレジットカード会社の課金データベースに受験料の請求データを登録し、クレジットカード会社から銀行に対し、受験料を請求し、銀行に受験者の銀行口座より受験料の自動引き落としを行う処理をコンピュータに実行させる。
【０１１０】
【発明の実施の形態】
資格取得のためのテストセンターでは、運転免許書、パスポートなどの写真を目視することにより、本人であることを確認するが、なりすましによる受験が不可能であるとは限らない。
【０１１１】
そこで、クレジットカードの顔写真やＩＣカード、暗証番号機能を利用して、システム化し、認証機能を強化する。さらに、クレジットカードの不正利用による犯罪機能も付加することにより、認証機能を強化することができる。
【０１１２】
また、今まで受験後、銀行にて受験料を支払うなどの操作が必要であったが、クレジットカードの本来の機能である、カード支払いにより受験料を自動的に銀行から引き落とすことができるようになる。
【０１１３】
本発明のクレジットカードを利用したテストセンターシステムとクレジットカードを利用したテストセンターの処理方法の特徴は、テストの受験者は、顔写真入りのクレジットカードを所有する。
【０１１４】
テストを受験する場合、受付でクレジットカードの顔写真で本人確認を行い、クレジットカードの暗証番号を入力することにより、クレジットカードを所有する本人であることを認証する。
【０１１５】
認証された後、クレジットカードのＩＣカードより、個人情報を読みとり、個人情報をもとに受験システムを起動する。
【０１１６】
また、個人情報が認証された後、クレジット会社に受験費の請求データを送信し、受験料の支払いを自動化する。
【０１１７】
このようにクレジットカードを利用したテストセンターシステムとクレジットカードを利用したテストセンターの処理方法では、クレジットカードの顔写真、暗証番号で本人であることを確認し、クレジットカードが持つ規約により、なりすまし受験を防ぐことができる。
【０１１８】
また、受験料をクレジットカード会社から直接銀行口座より引き落とすことにより、受験料を銀行にて振り込むなどの手間を省くことができるようにする。
【０１１９】
このように認証機能と支払い機能、受験システムを統合したテストセンターシステムを利用することにより、テストの運営を効率的に行うこうとができるのが本クレジットカードを利用したテストセンターシステムとクレジットカードを利用したテストセンターの処理方法である。
【０１２０】
次に、本発明の実施の形態について図面を参照して説明する。
【０１２１】
図１は本発明のクレジットカードを利用したテストセンターシステムとクレジットカードを利用したテストセンターの処理方法の一実施の形態を示す構成図である。
【０１２２】
図１を参照すると、テストの会場となるテストセンター１は、受付で受験者５の確認をクレジットカード１１に写された顔写真と受験者本人の素顔とを照合することで本人確認を行う手段と、クレジットカード認証システム１３によるクレジットカード会社２にアクセスしクレジットカード１１の認証を行う手段と、テスト管理センター３にアクセスし受験者５の受験情報を取得する手段と、受験システム１４で受験を実行する手段とを備えた構成になっている。
【０１２３】
テストの受験者５は、顔写真入りのクレジットカード（ＩＣカード含む）１１を所有する。
【０１２４】
テストを受験する場合、テストセンター１に赴き、受付でクレジットカード１１の顔写真で本人確認を行い、クレジットカード読みとり装置１２にクレジットカード１１を通し、クレジットカード認証システム１３にクレジットカード１１の暗証番号を入力する。
【０１２５】
これによりクレジットカード認証システム１３はクレジットカード会社２にアクセスし、クレジットカード会社２の個人データベース２１を参照し、クレジットカードを所有する本人であることを認証する。
【０１２６】
認証された後、クレジットカード１１のＩＣカードより、受験者５の住所、氏名などの個人情報を読みとり、個人情報をもとに受験システム１４を起動する。
【０１２７】
また、個人情報が認証された後、テストセンター１はテスト管理センター３にアクセスし、テスト管理センター３ににある個人データベース３２に照合をかけ、固有情報をもとに本人の個人データを検索し、検索でヒットした場合、個人データに受験システム１４が参照する受験許可フラグを情報設定する。
【０１２８】
受験システム１４から、テスト管理センター３の個人データベース３２を参照し、受験許可フラグが立っている場合、テスト管理センター３のテストデータベース３１からテストデータが転送される。
【０１２９】
また、クレジットカード認証システム１３では、個人情報が認証され、受験許可フラグが立った後、クレジットカード会社２に受験料の請求データを送信し、クレジットカード会社２の課金データベース２２に受験料の請求データを登録する。
【０１３０】
クレジットカード会社２からは、銀行４に対し、受験料を請求し、銀行４に受験者５の銀行口座より受験料の自動引き落としを行う。
【０１３１】
このように、受験料の支払いを自動化する。
【０１３２】
次に、本発明の実施の形態の動作について、図２を参照して詳細に説明する。
【０１３３】
図２は本発明のクレジットカードを利用したテストセンターシステムとクレジットカードを利用したテストセンターの処理方法の一実施の形態の動作を示す流れ図である。
【０１３４】
図２を参照すると、受験者５はテストセンター１に、クレジットカード１１を持参し、受付で、顔写真入りのクレジットカードを提示し、本人であることを確認する（ステップＳ１）。
【０１３５】
受付にあるクレジットカード読みとり装置１２に、クレジットカード１１を通し（ステップＳ２）、本人しか知らない暗証番号を入力する（ステップＳ３）。
【０１３６】
これによりクレジットカード認証システム１３はクレジットカード会社２にアクセスし、クレジットカード会社２の個人データベース２１を参照し（ステップＳ４）、クレジットカードを所有する本人であることを認証する（ステップＳ５）。
【０１３７】
暗証番号により、本人であると確認された場合、クレジットカード１１に添付されたＩＣカードより、受験者５の住所、氏名などの固有情報を引き出し（ステップＳ６）、テスト管理センター３にある個人データベース３２に照合をかける（ステップＳ７）。
【０１３８】
固有情報をもとにテスト管理センター３では個人データベース３２から本人の個人データを検索し、検索でヒットした場合（ステップＳ８）、個人データに受験システム１４が参照する受験許可フラグを設定する（ステップＳ９）。
【０１３９】
受験システム１４は、テスト管理センター３の個人データベース３２から個人データを参照し（ステップＳ１０）、受験許可フラグが立っている場合（ステップＳ１１）、テスト管理センター３のテストデータベース３１からテストデータを読み取る（ステップＳ１２）。
【０１４０】
クレジットカード認証システム１３では、受験許可フラグが立った後、クレジットカード会社２に課金データを転送する（ステップＳ１３）。
【０１４１】
クレジットカード会社２からは、銀行４に対し、受験料を請求し（ステップＳ１４）、銀行４は、受験者５の受験料を銀行口座より自動引き落としを行う（ステップＳ１５）。
【０１４２】
次に、他の実施の形態として、テストの会場となるテストセンターは、受付で受験者の確認をクレジットカードに写された顔写真と受験者本人の素顔とを照合することおよびクレジットカードに写された指紋写真と受験者本人の指紋とを照合することで本人確認を行う手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えた構成になっている。
【０１４３】
テストの受験者５は、顔写真入りおよび指紋入りのクレジットカード（ＩＣカード含む）１１を所有する。
【０１４４】
テストを受験する場合、テストセンター１に赴き、受付でクレジットカード１１の顔写真および指紋写真と本人の素顔および指紋を照合することで本人確認を行い、クレジットカード読みとり装置１２にクレジットカード１１を通し、クレジットカード認証システム１３にクレジットカード１１の暗証番号を入力する。
【０１４５】
これによりクレジットカード認証システム１３はクレジットカード会社２にアクセスし、クレジットカード会社２の個人データベース２１を参照し、クレジットカードを所有する本人であることを認証する。
【０１４６】
認証された後、クレジットカード１１のＩＣカードより、受験者５の住所、氏名などの個人情報を読みとり、個人情報をもとに受験システム１４を起動する。
【０１４７】
また、個人情報が認証された後、テストセンター１はテスト管理センター３にアクセスし、テスト管理センター３ににある個人データベース３２に照合をかけ、固有情報をもとに本人の個人データを検索し、検索でヒットした場合、個人データに受験システム１４が参照する受験許可フラグを情報設定する。
【０１４８】
受験システム１４から、テスト管理センター３の個人データベース３２を参照し、受験許可フラグが立っている場合、テスト管理センター３のテストデータベース３１からテストデータが転送される。
【０１４９】
また、クレジットカード認証システム１３では、個人情報が認証され、受験許可フラグが立った後、クレジットカード会社２に受験料の請求データを送信し、クレジットカード会社２の課金データベース２２に受験料の請求データを登録する。
【０１５０】
クレジットカード会社２からは、銀行４に対し、受験料を請求し、銀行４に受験者５の銀行口座より受験料の自動引き落としを行う。
【０１５１】
さらに、他の実施の形態として、テストの会場となるテストセンターは、受付で受験者の確認をクレジットカードに写された顔写真と受験者本人の素顔とを照合することで本人確認を行う手段と、ＩＣカードに記憶された指紋情報を指紋認証システムで認証する手段と、クレジットカード認証システムによるクレジットカード会社にアクセスしクレジットカードの認証を行う手段と、テスト管理センターにアクセスし受験者の受験情報を取得する手段と、受験システムで受験を実行する手段とを備えた構成になっている。
【０１５２】
テストの受験者は、顔写真入りのＩＣカード付クレジットカードを所有し、ＩＣカードには指紋情報が記憶されている。
【０１５３】
テストを受験する場合、テストセンター赴き、受付でクレジットカード１１の顔写真と本人の素顔を照合することおよびＩＣカードに記憶された指紋情報を指紋認証システムで認証することにより本人確認を行い、クレジットカード読みとり装置１２にクレジットカード１１を通し、クレジットカード認証システム１３にクレジットカード１１の暗証番号を入力する。
【０１５４】
これによりクレジットカード認証システム１３はクレジットカード会社２にアクセスし、クレジットカード会社２の個人データベース２１を参照し、クレジットカードを所有する本人であることを認証する。
【０１５５】
認証された後、クレジットカード１１のＩＣカードより、受験者５の住所、氏名などの個人情報を読みとり、個人情報をもとに受験システム１４を起動する。
【０１５６】
また、個人情報が認証された後、テストセンター１はテスト管理センター３にアクセスし、テスト管理センター３ににある個人データベース３２に照合をかけ、固有情報をもとに本人の個人データを検索し、検索でヒットした場合、個人データに受験システム１４が参照する受験許可フラグを情報設定する。
【０１５７】
受験システム１４から、テスト管理センター３の個人データベース３２を参照し、受験許可フラグが立っている場合、テスト管理センター３のテストデータベース３１からテストデータが転送される。
【０１５８】
また、クレジットカード認証システム１３では、個人情報が認証され、受験許可フラグが立った後、クレジットカード会社２に受験料の請求データを送信し、クレジットカード会社２の課金データベース２２に受験料の請求データを登録する。
【０１５９】
クレジットカード会社２からは、銀行４に対し、受験料を請求し、銀行４に受験者５の銀行口座より受験料の自動引き落としを行う。
【０１６０】
以上のようにクレジットカード１１に添付されているＩＣカードに指紋認証機能を装備させ、テストセンター１での受付で、指紋認証を行えば、さらに認証機能を強化させることが可能になる。
【０１６１】
【発明の効果】
以上説明したように、本発明のクレジットカードを利用したテストセンターシステムとクレジットカードを利用したテストセンターの処理方法は、
第１の効果は、テストを受験する場合、本人になりすまして受験するなりすまし受験を防止できることである。
【０１６２】
その理由は、顔写真付きのクレジットカードの認証機能を利用し、本人であることを確認するるからである。
【０１６３】
第２の効果は、本人が銀行にて受験料を振り込むなどの手間を省くことができる。
【０１６４】
その理由は、クレジットカードの自動支払い機能を利用し、受験料が本人の銀行口座より、自動引き落としされるからである。
【０１６５】
第３の効果は、外国のテストセンターにてテストを受験することも可能になる。
【０１６６】
その理由は、クレジットカードおよびクレジットカード会社は世界で利用できるためである。
【図面の簡単な説明】
【図１】本発明のクレジットカードを利用したテストセンターシステムとクレジットカードを利用したテストセンターの処理方法の一実施の形態を示す構成図である。
【図２】本発明のクレジットカードを利用したテストセンターシステムとクレジットカードを利用したテストセンターの処理方法の一実施の形態の動作を示す流れ図である。
【符号の説明】
１　　テストセンター
２　　クレジットカード会社
３　　テスト管理センター
４　　銀行
５　　受験者
１１　　クレジットカード
１２　　クレジットカード読みとり装置
１３　　クレジットカード認証システム
１４　　受験システム
２１　　個人データベース
２２　　課金データベース
３１　　テストデータベース
３２　　個人データベース
【図１】
2004086758.tif 000003
【図２】
2004086758.tif 000004